(57)【要約】【課題】  本発明は、専用のソフトウェアを必要とすることなく、順番を付けた画像データと当該画像データに関連づけられた音声データとを記憶媒体に記憶させることができ、また、記憶媒体に記憶された画像データと音声データとをテレビジョン上で確実に再生することができるデータ再生装置およびデータ再生方法を提供することを課題とする。【解決手段】  カード制御部８によってカード型記憶媒体２０に特定フォルダが存在するか否かを検知し、特定フォルダの存在が検知された場合には、カード型記憶媒体２０の前記特定フォルダ内に順番を付けて記憶されている画像データを順次表示し、画像データを順次表示するに際し、表示した画像データに関連付けられてカード型記憶媒体２０の前記特定フォルダ内に記憶されている音声データを再生し、該音声データの再生が終了した後に、次の画像データを表示する。【選択図】        図１
2005057436.tif 000002
【特許請求の範囲】
【請求項１】
記憶媒体に記憶されている画像データと音声データとを再生するデータ再生装置であって、
前記記憶媒体に特定フォルダが存在するか否かを検知する特定フォルダ検知手段と、
該特定フォルダ検知手段によって前記特定フォルダの存在が検知された場合には、前記記憶媒体の前記特定フォルダ内に順番を付けて記憶されている前記画像データを順次表示する画像データ表示手段と、
前記記憶媒体の前記特定フォルダ内に前記画像データに関連付けられて記憶されている前記音声データを再生する音声データ再生手段とを具備し、
前記音声データ再生手段は、前記画像データ表示手段によって表示された前記画像データに関連付けられた前記音声データを再生させ、
前記画像データ表示手段は、前記音声データ再生手段による前記音声データの再生が終了した後に、次の前記画像データを表示させることを特徴とするデータ再生装置。
【請求項２】
前記特定フォルダは、フォルダ名に特定文字列を含むフォルダと、
該フォルダ内に形成された画像フォルダおよび音声フォルダとからなり、
前記画像データは、前記画像フォルダに画像ファイルとして記憶され、
前記音声データは、前記音声フォルダに音声ファイルとして記憶されていることを特徴とする請求項１記載のデータ再生装置。
【請求項３】
前記画像データは、ファイル名によって順番を付けられていることを特徴とする請求項２記載のデータ再生装置。
【請求項４】
前記音声データは、ファイル名によって前記画像データに関連付けられていることを特徴とする請求項２又は３記載のデータ再生装置。
【請求項５】
前記音声データ再生手段によって最後の前記音声データが再生された後に、前記記憶媒体に記憶されたエンドファイルの存在を検知するエンドファイル検出手段を具備し、
前記エンドファイル検出手段によって前記エンドファイルが検知された場合には、前記画像データ表示手段によって最初の前記画像データを表示させた後、前記画像データ表示手段および前記音声データ再生手段の動作を停止させることを特徴とする請求項１乃至４のいずれかに記載のデータ再生装置。
【請求項６】
前記エンドファイル検出手段によって前記エンドファイルが検知されない場合には、前記画像データ表示手段によって再び最初の前記画像データから順次表示させることを特徴とする請求項５記載のデータ再生装置。
【請求項７】
記憶媒体に記憶されている画像データと音声データとを再生するデータ再生方法であって、
前記記憶媒体に特定フォルダが存在するか否かを検知し、
前記特定フォルダの存在を検知した場合には、前記記憶媒体の前記特定フォルダ内に順番を付けて記憶されている前記画像データを順次表示し、
前記画像データを順次表示するに際し、表示した前記画像データに関連付けられて前記記憶媒体の前記特定フォルダ内に記憶されている音声データを再生し、
該音声データの再生が終了した後に、次の前記画像データを表示することを特徴とするデータ再生方法。
【発明の詳細な説明】
【技術分野】
【０００１】
本発明は、記憶媒体に記憶されているデータを再生するデータ再生装置およびデータ再生方法に関し、特に記憶媒体に記憶されている静止画データと音声データとを再生するデータ再生装置およびデータ再生方法に関する。
【背景技術】
【０００２】
従来、コンピュータと専用のソフトウェアとを用いて、画像を一定時間間隔で切り替えて表示するスライドショーが知られており、例えば、スライドショーの実行に際し、まず、スライドショーにおいて表示を行う画像の順序が定義されている順序テーブルを参照することで、順序テーブルに定義された順序で画像データを順次読み出し、読み出した画像データを表示手段に順次表示させるように構成することにより、複数のファイルに別れて記憶されている画像データの表示順を、順序テーブルにおける設定を変えるだけで自由に決定することが可能な装置が提案されている（例えば、特許文献１参照）。
【０００３】
また、音声データを画像データに関連付けて記憶させておき、スライドショーの実行時に画像の表示と共に、各画像に関連付けされた音声を再生できるものも知られている。
【特許文献１】特開２００１−１０３４１５号公報
【発明の開示】
【発明が解決しようとする課題】
【０００４】
しかしながら、従来技術では、予め順序テーブルに画像の順番を定義する必要があるため、記憶媒体に画像データを記憶させるに際して順序テーブルを作成するための専用のソフトウェアを必要とし、汎用性に乏しいという問題点があった。
【０００５】
また、従来技術では、画像の表示と共に、各画像に関連付けされた音声を再生するに際し、音声データの記憶時間に関わらず一定時間間隔で画像を切り替えて表示するように構成されているため、時間の長い音声データは最後まで再生されないことがあるという問題点があった。
【０００６】
本発明は斯かる問題点を鑑みてなされたものであり、その目的とするところは、専用のソフトウェアを必要とすることなく、順番を付けた画像データと当該画像データに関連づけられた音声データとを記憶媒体に記憶させることができ、また、記憶媒体に記憶された画像データと音声データとをテレビジョン上で確実に再生することができるデータ再生装置およびデータ再生方法を提供する点にある。
【課題を解決するための手段】
【０００７】
本発明は上記課題を解決すべく、以下に掲げる構成とした。
請求項１記載の発明の要旨は、記憶媒体に記憶されている画像データと音声データとを再生するデータ再生装置であって、前記記憶媒体に特定フォルダが存在するか否かを検知する特定フォルダ検知手段と、該特定フォルダ検知手段によって前記特定フォルダの存在が検知された場合には、前記記憶媒体の前記特定フォルダ内に順番を付けて記憶されている前記画像データを順次表示する画像データ表示手段と、前記記憶媒体の前記特定フォルダ内に前記画像データに関連付けられて記憶されている前記音声データを再生する音声データ再生手段とを具備し、前記音声データ再生手段は、前記画像データ表示手段によって表示された前記画像データに関連付けられた前記音声データを再生させ、前記画像データ表示手段は、前記音声データ再生手段による前記音声データの再生が終了した後に、次の前記画像データを表示させることを特徴とするデータ再生装置に存する。
また請求項２記載の発明の要旨は、前記特定フォルダは、フォルダ名に特定文字列を含むフォルダと、該フォルダ内に形成された画像フォルダおよび音声フォルダとからなり、前記画像データは、前記画像フォルダに画像ファイルとして記憶され、前記音声データは、前記音声フォルダに音声ファイルとして記憶されていることを特徴とする請求項１記載のデータ再生装置に存する。
また請求項３記載の発明の要旨は、前記画像データは、ファイル名によって順番を付けられていることを特徴とする請求項２記載のデータ再生装置に存する。
また請求項４記載の発明の要旨は、前記音声データは、ファイル名によって前記画像データに関連付けられていることを特徴とする請求項２又は３記載のデータ再生装置に存する。
また請求項５記載の発明の要旨は、前記音声データ再生手段によって最後の前記音声データが再生された後に、前記記憶媒体に記憶されたエンドファイルの存在を検知するエンドファイル検出手段を具備し、前記エンドファイル検出手段によって前記エンドファイルが検知された場合には、前記画像データ表示手段によって最初の前記画像データを表示させた後、前記画像データ表示手段および前記音声データ再生手段の動作を停止させることを特徴とする請求項１乃至４のいずれかに記載のデータ再生装置に存する。
また請求項６記載の発明の要旨は、前記エンドファイル検出手段によって前記エンドファイルが検知されない場合には、前記画像データ表示手段によって再び最初の前記画像データから順次表示させることを特徴とする請求項５記載のデータ再生装置に存する。
また請求項７記載の発明の要旨は、記憶媒体に記憶されている画像データと音声データとを再生するデータ再生方法であって、前記記憶媒体に特定フォルダが存在するか否かを検知し、前記特定フォルダの存在を検知した場合には、前記記憶媒体の前記特定フォルダ内に順番を付けて記憶されている前記画像データを順次表示し、前記画像データを順次表示するに際し、表示した前記画像データに関連付けられて前記記憶媒体の前記特定フォルダ内に記憶されている音声データを再生し、該音声データの再生が終了した後に、次の前記画像データを表示することを特徴とするデータ再生方法に存する。
【発明の効果】
【０００８】
本発明のデータ再生装置およびデータ再生方法は、特定文字列をフォルダ名に含む特定フォルダ内に、ファイル名によって順番を付けて画像ファイルおよび音声ファイルを記憶するように構成することにより、専用のソフトウェアを必要とすることなく、順番を付けた画像データと当該画像データに関連づけられた音声データとを記憶媒体に記憶させることができという効果を奏する。
【０００９】
さらに、本実施の形態によれば、画像データに関連付けられた音声データを再生した後に、次の画像データを表示するように構成することにより、記憶媒体に記憶された画像データと音声データとをテレビジョン上で確実に再生することができるという効果を奏する。
【発明を実施するための最良の形態】
【００１０】
以下、本発明の実施の形態を図面に基づいて詳細に説明する。
【００１１】
図１は、本発明に係るデータ再生装置の実施の形態の構成を示すブロック図であり、図２は、図１に示すカード型記憶媒体の記憶内容を示す図である。
【００１２】
本実施の形態は、図１を参照すると、テレビジョン放送信号を受信するアンテナ１と、アンテナ１によって受信されたテレビジョン放送信号を映像検波し、映像信号および音声信号を出力する受信部２と、ＣＲＴや液晶ディスプレイ等の表示部３と、スピーカ４と、入力された映像信号をＲ，Ｇ，Ｂ信号に変換して表示部３に出力する映像出力部５と、入力された音声信号をスピーカ４に出力する音声出力部６と、メモリカード等のカード型記憶媒体２０が挿入されるカード用スロット７と、カード用スロット７に挿入されたカード型記憶媒体２０に記憶されている画像ファイルおよび音声ファイルをデコードして映像信号および音声信号をそれぞれ出力するカード制御部８と、受信部２、映像出力部５、音声出力部６およびカード制御部８を制御する中央制御部９と、中央制御部９に各種の指示を入力する操作部１０とからなる。
【００１３】
カード型記憶媒体２０には、図２に示すように、特定文字列（PSNC）をフォルダ名に含む特定フォルダが形成されていると共に、特定フォルダ内に画像フォルダ（Pict）と音声フォルダ（Sound）とが形成されており、画像ファイルは、画像フォルダ（Pict）内に、音声ファイルは、音声フォルダ（Sound）内にそれぞれ記憶されている。また、音声フォルダ（Sound）内には、ＥＮＤファイル（ファイル名：End）が選択的に記憶される。
【００１４】
画像ファイルは、JPEG、PNG、GIF、BMP、TIFF等の画像形式で記憶された静止画像データであり、各画像ファイルのファイル名は、例えば８桁までの英数字からなり、１から始まる連続数字によって順番が定められている。なお、本実施の形態では、図２に示す拡張子から分かるように、画像ファイルの画像形式をDCF準拠のJPEGとした。
【００１５】
音声ファイルは、WMA、MP3等の音声圧縮フォーマットで記憶された音声データであり、関連付ける画像ファイルと同一のファイル名（拡張子を除く）が付けられている。なお、本実施の形態では、図２に示す拡張子から分かるように、画像ファイルの音声圧縮フォーマットをDCF準拠のWMAとした。
【００１６】
次に、本実施の形態の動作について図３を参照して詳細に説明する。
図３は、本発明に係るデータ再生装置の実施の形態の動作を説明するためのフローチャートである。
【００１７】
まず、操作部１０からカードモードを指示する入力が行われると、中央制御部９は、カード制御部８にカードモード指示信号を出力し、カードモード指示信号が入力されたカード制御部８は、カード用スロット７にカード型記憶媒体２０が挿入されているか否かを判断し（ステップＡ１）、カード用スロット７にカード型記憶媒体２０が挿入されていない場合には、カード用スロット７にカード型記憶媒体２０が挿入されるまで待つ。
【００１８】
ステップＡ１でカード用スロット７にカード型記憶媒体２０が挿入されていること確認すると、カード制御部８は、特定フォルダ検知手段として機能し、カード型記憶媒体２０に記憶されているカードデータを読み込み（ステップＡ２）、名称に特定文字列（PSNC）を含む特定フォルダが存在し、特定フォルダ内に画像フォルダおよび音声フォルダが存在するか否かを検知し（ステップＡ３）、特定フォルダ、画像フォルダおよび音声フォルダの存在の有無を中央制御部９に通知する。
【００１９】
ステップＡ３でカード型記憶媒体２０に特定フォルダ、画像フォルダおよび音声フォルダが存在しないと検知され、カード制御部８から中央制御部９に特定フォルダ、画像フォルダおよび音声フォルダが存在しないことが通知されると、中央制御部９は、図示しないオンスクリーン表示手段によって表示部３にカードモード案内画面を表示させ、カードモード案内画面に基づいた操作部１０からの入力を受け付けることによって、カード型記憶媒体２０に記憶されているプログラムに基づく各種処理の実行や、各種データの表示を行う通常のカードモードに切り替える（ステップＡ４）。
【００２０】
カード制御部８は、ステップＡ３でカード型記憶媒体２０に特定フォルダ、画像フォルダおよび音声フォルダが存在すると検知すると、画像フォルダおよび音声フォルダ内に特定ファイル、すなわち画像ファイルおよび音声ファイルがそれぞれ存在するか否かを検知し、特定ファイルの存在の有無を中央制御部９に通知する（ステップＡ５）。
【００２１】
ステップＡ５でカード型記憶媒体２０に特定ファイルが存在しないと検知され、カード制御部８から中央制御部９に特定ファイルが存在しないことが通知されると、中央制御部９は、図示しないオンスクリーン表示手段によって表示部３にカードモード案内画面を表示させ、カードモード案内画面に基づいた操作部１０からの入力を受け付けることによって、カード型記憶媒体２０に記憶されているプログラムに基づく各種処理の実行や、各種データの表示を行う通常のカードモードに切り替える（ステップＡ４）。
【００２２】
ステップＡ５でカード型記憶媒体２０に特定ファイルが存在すると検知され、カード制御部８から中央制御部９に特定ファイルが存在することが通知されると、中央制御部９は、映像出力部５および音声出力部６を制御してカード制御部８からの映像信号および音声信号を表示部３およびスピーカ４にそれぞれ出力するカード連続表示モードに切り替える（ステップＡ６）。
【００２３】
カード連続表示モードに切り替えられると、カード制御部８は、変数ｎを１にセットし（ステップＡ７）、ｎ番目の画像ファイル（ファイル名：0000000n.jpg）を読み出してデコードすることで映像信号を映像出力部５に出力し、映像出力部５によってｎ番目の画像ファイルが表示部３に表示される（ステップＡ８）。
【００２４】
カード制御部８は、ｎ番目の画像ファイルのデコード後、ｎ番目の画像ファイルと同一のファイル名を有するｎ番目の音声ファイル（ファイル名：00000001.wma）を読み出してデコードすることで音声信号を音声出力部６に出力し、音声出力部６によってｎ番目の音声ファイルがスピーカ４から再生される（ステップＡ９）。
【００２５】
カード制御部８は、ｎ番目の音声ファイルの再生の終了を検出し（ステップＡ１０）、１番目の音声ファイルの再生が終了すると、ｎ＋１番目の画像ファイル（ファイル名：00000001+1.jpg）が存在するか否かを判断し（ステップＡ１１）、ｎ＋１番目の画像ファイルが存在する場合には、変数ｎをインクリメント（ｎ＝ｎ＋１）して（ステップＡ１２）、
ステップＡ８に戻り、以下、ｎ＋１番目の画像ファイルが存在する限りステップＡ８〜Ａ１２の動作が繰り返される。
【００２６】
ステップＡ１１でｎ＋１番目の画像ファイルが存在しない場合には、カード制御部８は、エンドファイル検出手段として機能し、音声フォルダ内にＥＮＤファイル（ファイル名：End.wma）が存在するか否かを判断する（ステップＡ１３）。
【００２７】
ステップＡ１３で音声フォルダ内にＥＮＤファイルが存在しない場合には、ステップＡ７に戻り、ステップＡ７〜Ａ１３の動作が繰り返される。また、ステップＡ１３で音声フォルダ内にＥＮＤファイルが存在する場合には、カード制御部８は、１番目の画像ファイル（ファイル名：00000001.jpg）を読み出してデコードすることで映像信号を映像出力部５に出力し、映像出力部５によって１番目の画像ファイルを表示部３に表示させ、１番目の画像ファイルが表示部３に表示された状態で処理を終了する。
【００２８】
なお、本実施の形態では、画像ファイルおよび音声ファイルのファイル名に１から順次数字を付けて表示および再生の順番を定めるにようにしたが、ファイル名に付ける数字は、連続番号でなくても良く、また、アルファベットの昇順によって順番を定めるにようにしても良い。ファイル名に付ける数字が連続番号でない場合には、ファイル名の若い順番に画像ファイルの表示および音声ファイルの再生を行うようにする。
【００２９】
また、本実施の形態では、カード型記憶媒体２０に特定フォルダを形成して画像ファイルおよび音声ファイルを記憶するように構成したが、記憶媒体の種類は、カード型に限定されることなく、ＤＶＤ、ＣＤ−ＲＯＭ等のディスク型でも、ＵＳＢ等に直接差し込むスティック型であっても良い。
【００３０】
以上説明したように、本実施の形態によれば、特定文字列をフォルダ名に含む特定フォルダ内に、ファイル名によって順番を付けて画像ファイルおよび音声ファイルを記憶するように構成することにより、専用のソフトウェアを必要とすることなく、順番を付けて画像データおよび音声データを記憶媒体に記憶させることができという効果を奏する。
【００３１】
さらに、本実施の形態によれば、画像データと関連付けられた音声データを再生した後に、次の画像データを表示するように構成することにより、記憶媒体に記憶された画像データと音声データとをテレビジョン上で確実に再生することができるという効果を奏する。
【００３２】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【産業上の利用可能性】
【００３３】
本発明によれば、特別な操作を必要とすることなく、記憶媒体に記憶された画像データと音声データとを紙芝居のように再生することができるため、各種プレゼンテーションツール、各種教育ツール等として使用することができると共に、専用のソフトウェアを必要とすることなく、誰にでも各種プレゼンテーションツール、各種教育ツール等を作成し、作成したツールを配布もしくは販売することができるため、幅広い分野での活用が期待できる。
【図面の簡単な説明】
【００３４】
【図１】本発明に係るデータ再生装置の実施の形態の構成を示すブロック図である。
【図２】図１に示すカード型記憶媒体の記憶内容を示す図である。
【図３】本発明に係るデータ再生装置の実施の形態の動作を説明するためのフローチャートである。
【符号の説明】
【００３５】
１  アンテナ
２  受信部
３  表示部
４  スピーカ
５  映像出力部
６  音声出力部
７  カード用スロット
８  カード制御部
９  中央制御部
１０  操作部
２０  カード型記憶媒体
【図１】
2005057436.tif 000003
【図２】
2005057436.tif 000004
【図３】
2005057436.tif 000005